(57)【特許請求の範囲】
【請求項１】
走行部（Ａ）と、根菜類の近くの土壌を解すソイラ（３７）と、根菜類を引き抜いて搬送する引抜搬送装置（２４）を設けた根菜類収穫機において、
前記ソイラ（３７）は、一部が土壌内に突入する刃部（３７ａ）と、該刃部（３７ａ）を取り付ける取付部（３７ｂ）を備え、前記刃部（３７ａ）を上下に延設し、前記刃部（３７ａ）を上下反対に向けて着脱可能に構成し、
該刃部（３７ａ）の上下方向の一端部（１２７）の前端縁を、上下方向に直線状に延びる直線形状とすると共に、該刃部（３７ａ）の上下方向の他端部（１２８）の前端縁を、該他端部（１２８）が下部となるよう刃部（３７ａ）を装着した状態で下側ほど根菜類に近付く側に屈曲する形状としたことを特徴とする根菜類収穫機。
【請求項２】
走行部（Ａ）と、根菜類の近くの土壌を解すソイラ（３７）と、根菜類を引き抜いて搬送する引抜搬送装置（２４）を設けた根菜類収穫機において、
該ソイラ（３７）は、一部が土壌内に突入する刃部（３７ａ）と、該刃部（３７ａ）を取り付ける取付部（３７ｂ）を備え、前記刃部（３７ａ）を上下に延設し、前記刃部（３７ａ）を上下反対に向けて着脱可能に構成し、
前記刃部（３７ａ）の上下方向の一端部（１２７）と他端部（１２８）の前端縁を上下方向の中央部で屈曲させて同一直線上に配置させない構成とし、一端部（１２７）と他端部（１２８）のどちらが上部となるよう刃部（３７ａ）を装着した状態でも前端縁が上側ほど後側に位置する構成としたことを特徴とする根菜類収穫機。
【請求項３】
前記刃部（３７ａ）の前端縁に鋸刃状の凹凸を形成したことを特徴とする請求項１または２に記載の根菜類収穫機。
【請求項４】
前記ソイラ（３７）を、収穫する根菜類の栽培条に対して未収穫の根菜類が位置する側にのみ設け、収穫する根菜類の栽培条に対して既収穫側には、前記ソイラ（３７）を設けないか又は前記ソイラ（３７）よりも上下幅の小さいソイラを設けることを特徴とする請求項１から３のいずれか１項に記載の根菜類収穫機。
【請求項５】
左右一対のソイラ（３７）を設け、該ソイラ（３７）を振動させる左右一対の振動アーム（３３）を設け、該左右一対の振動アーム（３３）に左右一対のソイラ（３７）を各々装着する構成とし、
前記引抜搬送装置（２４）で搬送する根菜類に付着する土を落とす左右一対の土落とし部材（３９）を前記左右一対の振動アーム（３３）に取り付け、該左右一対の土落とし部材（３９）の間隔を調節可能に構成したことを特徴とする請求項１から３のいずれか１項に記載の根菜類収穫機。
【発明の詳細な説明】
【技術分野】
【０００１】
本発明は、人参や大根や蕪等の根菜類を圃場から引き抜いて収穫する根菜類収穫機の技術分野に属する。
【背景技術】
【０００２】
走行部と、圃場の根菜類の近くの土壌を切りながら解すソイラと、該ソイラにより近くの土壌が解された根菜類を引き抜いて搬送する引抜搬送装置を設け、ソイラは、一部（下部）が土壌内に突入する刃部と、該刃部を取り付ける取付部を備え、刃部を上下に延設した構成の根菜類収穫機が知られている。前記刃部の上下方向の一端部となる上部の前端縁は、上下方向に直線状に延びる直線形状であり、刃部の上下方向の他端部となる下端部の前端縁は、下側ほど圃場の根菜類に近づく側に曲がる曲がり形状であり、刃部の上下方向の一端部と他端部で前端縁が異なる形状となっている。また、上下に振動する振動アームに取付部を介して刃部を装着する構成としている。また、左右一対のソイラを設け、上下に振動する左右一対の振動アームに各々の取付部を介して各々の刃部を装着する構成としている（特許文献１〜特許文献３参照）。
【０００３】
更に、引抜搬送装置で搬送する根菜類に付着する土を落とす左右一対の土落とし部材を左右各々の振動アームに取り付けた構成が知られている（特許文献３参照）。
【先行技術文献】
【特許文献】
【０００４】
【特許文献１】特開２００５‐１０２５４６号公報
【特許文献２】特開２００５‐１５１９３２号公報
【特許文献３】特開２０１０‐２２７０５６号公報
【発明の概要】
【発明が解決しようとする課題】
【０００５】
上記背景技術のソイラは、上下に延設される刃部の下端部が土壌内に突入する構成であり、刃部を上下反対に向けて装着するものではない。従って、土壌の硬軟の差異や根菜類の引き抜き抵抗の差異に拘らず、同一の曲がり形状である刃部の下端部により土壌を解すことになる。
【０００６】
本発明は、土壌の硬軟の差異や根菜類の引き抜き抵抗の差異等の作業条件の差異に適応して、圃場の根菜類の近くの土壌を適正に解し、根菜類を良好に引き抜いて搬送して収穫作業の適正化を図ることを課題とする。
【課題を解決するための手段】
【０００７】
上記課題を解決するために、次のような技術的手段を講じた。
すなわち、請求項１に係る発明は、走行部（Ａ）と、根菜類の近くの土壌を解すソイラ（３７）と、根菜類を引き抜いて搬送する引抜搬送装置（２４）を設けた根菜類収穫機において、前記ソイラ（３７）は、一部が土壌内に突入する刃部（３７ａ）と、該刃部（３７ａ）を取り付ける取付部（３７ｂ）を備え、前記刃部（３７ａ）を上下に延設し、前記刃部（３７ａ）を上下反対に向けて着脱可能に構成し、該刃部（３７ａ）の上下方向の一端部（１２７）の前端縁を、上下方向に直線状に延びる直線形状とすると共に、該刃部（３７ａ）の上下方向の他端部（１２８）の前端縁を、該他端部（１２８）が下部となるよう刃部（３７ａ）を装着した状態で下側ほど根菜類に近付く側に屈曲する形状としたことを特徴とする根菜類収穫機とした。
【０００８】
また、請求項２に係る発明は、走行部（Ａ）と、根菜類の近くの土壌を解すソイラ（３７）と、根菜類を引き抜いて搬送する引抜搬送装置（２４）を設けた根菜類収穫機において、該ソイラ（３７）は、一部が土壌内に突入する刃部（３７ａ）と、該刃部（３７ａ）を取り付ける取付部（３７ｂ）を備え、前記刃部（３７ａ）を上下に延設し、前記刃部（３７ａ）を上下反対に向けて着脱可能に構成し、前記刃部（３７ａ）の上下方向の一端部（１２７）と他端部（１２８）の前端縁を上下方向の中央部で屈曲させて同一直線上に配置させない構成とし、該一端部（１２７）と他端部（１２８）のどちらが上部となるよう刃部（３７ａ）を装着した状態でも前端縁が上側ほど後側に位置する構成としたことを特徴とする根菜類収穫機とした。
【０００９】
また、請求項３に係る発明は、前記刃部（３７ａ）の前端縁に鋸刃状の凹凸を形成したことを特徴とする請求項１または２に記載の根菜類収穫機とした。
【００１０】
また、請求項４に係る発明は、前記ソイラ（３７）を、収穫する根菜類の栽培条に対して未収穫の根菜類が位置する側にのみ設け、収穫する根菜類の栽培条に対して既収穫側には、前記ソイラ（３７）を設けないか又は前記ソイラ（３７）よりも上下幅の小さいソイラを設けることを特徴とする請求項１から３のいずれか１項に記載の根菜類収穫機とした。
【００１１】
また、請求項５に係る発明は、左右一対のソイラ（３７）を設け、該ソイラ（３７）を振動させる左右一対の振動アーム（３３）を設け、該左右一対の振動アーム（３３）に左右一対のソイラ（３７）を各々装着する構成とし、前記引抜搬送装置（２４）で搬送する根菜類に付着する土を落とす左右一対の土落とし部材（３９）を前記左右一対の振動アーム（３３）に取り付け、該左右一対の土落とし部材（３９）の間隔を調節可能に構成したことを特徴とする請求項１から３のいずれか１項に記載の根菜類収穫機とした。
【発明の効果】
【００１２】
請求項１に係る発明によれば、刃部（３７ａ）の上下方向の一端部（１２７）を直線形状としたことにより、土壌が柔らかいときに必要以上に土壌を解すことを防止できるので、根菜類が引抜搬送装置（２４）の引き抜き作業姿勢に対して不適正な姿勢になり、根菜類が圃場に残されることが防止されると共に、ソイラ（３７）が根菜類に接触して傷付けることが防止される。
また、土壌が硬いときには、刃部（３７ａ）の上下方向の他端部（１２８）を下側に向けて刃部（３７ａ）を装着し、屈曲する形状である他端部（１２８）を土中に進入させることにより、根菜類の下方部分の土壌を掘り起こしながら解すことができるので、引抜搬送装置（２４）による根菜類の引き抜き抵抗が小さくなり、根菜類を引き抜く際に茎葉部がちぎれることが防止され、確実に圃場から根菜類を引き抜くことができる。
そして、刃部（３７ａ）の一端部（１２７）と他端部（１２８）のうち、土壌内に突入しない側の刃部（３７ａ）の上部側は、根菜類の茎葉部の絡みを解くことができるので、収穫する栽培条の根菜類と一緒に隣接する栽培上の根菜類を引き抜くことが防止され、収穫作業の適正化が図れる。
さらに、刃部（３７ａ）の上部側は、掘り起こした土の隣接する栽培条への移動を妨げるので、隣接する栽培条の根菜類に土が降りかかることが防止でき、根菜類の茎葉部が土に埋もれて引抜搬送装置（２４）で引抜収穫できなくなることが防止される。
【００１３】
請求項２に係る発明によれば、刃部（３７ａ）の上下方向の一端部（１２７）と他端部（１２８）のどちらが上部となるよう刃部（３７ａ）を装着した状態でも前端縁が上側ほど機体後側に位置することにより、刃部（３７ａ）に接触する根菜類の茎葉部の絡みを確実に解除することができるので、収穫する栽培条の根菜類と一緒に隣接する栽培上の根菜類を引き抜くことが防止され、収穫作業の適正化が図られる。
【００１４】
請求項３に係る発明によれば、請求項１または２に係る発明の効果に加えて、刃部（３７ａ）の前端縁に鋸刃状の凹凸を形成したことにより、茎葉部の絡みを切断しながら分草することができるので、収穫する栽培条の根菜類と一緒に隣接する栽培上の根菜類を引き抜くことが防止され、収穫作業の適正化が図れる。
また、刃部（３７ａ）の前端縁を鋸刃状にしたことにより、土壌を切り解やすくなるので、引抜搬送装置（２４）による根菜類の引き抜き抵抗が小さくなり、根菜類を引き抜く際に茎葉部がちぎれることが防止され、確実に圃場から根菜類を引き抜くことができる。
【００１５】
請求項４に係る発明によれば、請求項１から３のいずれか１項に係る発明の効果に加えて、ソイラ（３７）が掘り起こした土壌が既収穫側へ供給されやすくなるため、刃部（３７ａ）の上部によりソイラ（３７）が掘り起こした土壌が未収穫側の栽培条へ降りかかるのを的確に防止できる。
【００１６】
請求項５に係る発明によれば、請求項１から３のいずれか１項に係る発明の効果に加えて、左右一対の土落とし部材（３９）の間隔を、引抜搬送装置（２４）により搬送する根菜類の形状や寸法に応じて調節でき、引抜搬送装置（２４）による根菜類の搬送抵抗を抑えて根菜類を良好に搬送しながら、根菜類に付着する土を的確に落とすことができ、収穫作業の適正化が図られる。
【図面の簡単な説明】
【００１７】
【図１】根菜類収穫機の側面図
【図２】根菜類収穫機の平面図
【図３】根菜類収穫機の背面図
【図４】根菜類収穫機の要部側面図
【図５】根菜類収穫機の要部平面図
【図６】別の例のソイラ及び土落としブラシを示す側面図
【図７】別の例のソイラ及び土落としブラシを示す平面図
【図８】別の例の刃部を示す正面図
【図９】別の例２のソイラ及び土落としブラシを示す側面図
【図１０】別の例２のソイラ及び土落としブラシを示す平面図
【図１１】別の例２のソイラの前端部を示す底面図
【図１２】別の例３のソイラ及び土落としブラシを示す側面図
【図１３】選別搬送部及び収容部の側面図
【図１４】茎葉切断部の要部正面図
【図１５】茎葉切断部の要部平面図
【図１６】茎葉切断部の要部側面図
【図１７】茎葉切断部の要部背面図
【図１８】第１回転刃と第２回転刃の上下位置調整構造を示す側断面図
【図１９】第１回転刃と第２回転刃の上下位置調整構造を示す別例の側断面図
【図２０】円盤刃の平面図
【図２１】円盤刃の側面図
【図２２】別例の円盤刃の平面図
【図２３】押出ディスクの取付を示す平面図
【図２４】押出ディスクを示す平面図
【発明を実施するための形態】
【００１８】
この発明の実施の一形態を、以下に説明する。尚、以下の実施の形態は、あくまで実施の一形態であって、特許請求の範囲を拘束するものではない。
根菜類収穫機の一例である人参収穫機は、機体を走行させる走行部Ａと、操縦者が搭乗する操縦部Ｂと、機体左右一側で圃場から人参を引き抜いて機体後上側に搬送する収穫部Ｃと、該収穫部Ｃから人参を引き継いで機体後方に搬送しながら茎葉部を或いは可食部を切断する茎葉切断部Ｄと、茎葉切断部Ｄから落下する人参を受けて人参に残った茎葉部を処理しながら機体左右他側へ搬送する引継搬送部Ｅと、該引継搬送部Ｅから人参を引き継いで人参を機体後側へ搬送しつつ搬送中の人参を補助作業者が選別する選別搬送部Ｆと、選別搬送部Ｆから排出される人参を収容する収容部Ｇとから構成される。以下、各部の詳細を具体的に記載する。
【００１９】
まず、走行部Ａの構成について説明する。
図１〜図３で示すように、走行部Ａは、機体フレーム１の下方に機体前部側の左右駆動スプロケット２，２と機体後部側の左右従動輪３，３と、該左右駆動スプロケット２，２と左右従動輪３，３との間に取り付けた複数の転輪４，４…の周りに左右ベルト５，５を巻き掛けて左右のクローラ６Ｌ，６Ｒを構成する。そして、該左右クローラ６Ｌ，６Ｒの左右駆動スプロケット２，２を、エンジン７の動力が伝動されるミッションケース８から左右両側に延出させた左右ドライブシャフト９，９に取り付け、一定の左右間隔を設けて左右クローラ６Ｌ，６Ｒを該機体フレーム１に取り付ける。
【００２０】
次に、操縦部Ｂの構成について説明する。
図１及び図２で示すように、前記機体フレーム１の右側上部に操縦部フレーム１０を取り付け、該操縦部フレーム１０には操縦座席１１を取り付けると共に、機体前側に操縦パネル１２を取り付ける。そして、該操縦パネル１２に機体の前後進及び走行速度を切り換える変速操作レバー１３を取り付けると共に、機体の左右旋回操作及び収穫部Ｃの作業高さを操作する昇降操作レバー１４を取り付ける。
【００２１】
上記構成により、変速操作レバー１３や昇降操作レバー１４のような、１本で複数の操作を行える操縦部材を設けることによって、機体の操縦が容易になるため操縦者の作業を軽減することができる。
【００２２】
次に、収穫部Ｃの構成について説明する。
左右引抜フレーム１５，１５の機体前側に左右従動プーリ１６，１６を回転自在に装着し、機体後側に左右駆動プーリ１７，１７を装着し、該左右従動プーリ１６，１６と左右駆動プーリ１７，１７との間に人参を引き抜き機体後部へと搬送する左右挟持搬送ベルト１８，１８を巻き掛けると共に、複数のテンションローラ１９…によって該左右挟持搬送ベルト１８，１８を張圧し、左右挟持搬送ベルト１８，１８の機体内側面を互いに圧接させて人参の引抜搬送経路Ｒを構成する。そして、前記機体フレーム１の上方に左右横軸２１を回動支点として上下方向に回動自在な回動フレーム２０を取り付け、該回動フレーム２０の後端部に前記左右駆動プーリ１７，１７に駆動力を伝動する伝動ケース２２を、回動支点Ｘを中心として上下回動自在に取り付ける。また、前記機体フレーム１と回動フレーム２０とを昇降シリンダ２３で連結し、該昇降シリンダ２３を操縦部Ｂで操作可能に取り付けて引抜搬送装置２４を構成する。
【００２３】
また、該引抜搬送装置２４の前方に人参の茎葉部を縦ラグ２５ａで引き起こす縦引起し装置２５と、該縦引起し装置２５が引起した茎葉部を横ラグ２６ａで掬い上げる横引起し装置２６と、ハンドル２９を回すと上下伸縮する伸縮ロッド３０の下端部に引抜搬送装置２４の下り過ぎを防止する回転自在なゲージ輪３１を設ける。
【００２４】
さらに、前記引抜フレーム１５，１５の機体前側下部から機体前後方向おいて略中間位置に亘って左右のソイラフレーム３２，３２を取り付け、該ソイラフレーム３２，３２の前側端部に左右の振動アーム３３，３３の前側端部を取り付ける。そして、前記機体フレーム１の前側にエンジン７の駆動力を受けて回転する振動シャフト３４を引抜搬送装置２４に向けて延出し、該振動シャフト３４と該振動アーム３３，３３の後側端部との間に振動アーム３３，３３を振動させる側面視Ｖ字形状の振動ロッド３５を取り付けて振動装置３６を構成する。機体内側の振動アーム３３は、振動ロッド３５の下端側に回動自在に取り付ける。
【００２５】
そして、前記ソイラフレーム３２，３２と振動アーム３３，３３との連結部に人参の周囲の土を切り解す左右のソイラ３７，３７を機体前側に向けて取り付け、振動アーム３３，３３の該ソイラ３７，３７の基部を取り付けた箇所の内側に左右の土落としステー３８，３８の基部を取り付け、振動装置３６を構成する。
【００２６】
なお、前記ソイラ３７は、土中に進入して人参の周囲の土を解す刃部３７ａと、該刃部３７ａからに後上方に向かう円弧状の取付部３７ｂとから構成すると、ソイラ３７が土中に進入する際にかかる抵抗が分散されて小さくなるので、機体の進行が円滑になり作業能率が向上すると共に、土質や天候などによる圃場条件の違いや人参の種類や生育状態の違いに合わせてソイラ３７の上下位置調節が容易に行えるので、人参が掘り取りやすくなり、作業能率が向上する。
【００２７】
さらに、振動装置３６を振動させる振動シャフト３４の回転数は、ミッションケース８の変速動作に連動しない構成とすることによって、走行速度が低速の場合でも振動幅が変わらないので、低速作業時でも高速作業時でも左右のソイラ３７，３７を同じ幅で振動させることができるので、作業能率が向上するとともに、人参の周囲の土が切り解されて抜き残しが少なくなるので、収穫作業後に抜き残された人参を抜き取る作業が省略され、作業者の労力が軽減される。
【００２８】
また、該土落としステー３８，３８の後部に、人参に付着した土を落とす、ポリプロピレンやアクリル等の合成樹脂、あるいは棕櫚や羊歯など天然素材を用いた土落とし部材である土落としブラシ３９，３９を取り付ける。なお、該土落としブラシ３９，３９は、上下に亘って同じ長さの毛を用いると、人参に接触する機会の多い上側の毛が摩耗した際、土落としブラシ３９，３９の上下を転換させれば摩耗していない毛を人参に接触させることができるので、土落としブラシ３９，３９を長持ちさせることができる。
【００２９】
さらに、前記土落としブラシ３９，３９の左右の間隔を機体前側が最も広く幅Ｗ１、機体後側に向かうほど狭くなるように配置するとともに、土落としブラシ３９，３９の左右幅の最も狭い部分幅Ｗ２を左右外側方向に向けて構成する。
【００３０】
そして、前記左右のソイラ３７，３７の前端部に圃場面に垂れている茎葉を掬い上げる左右の掬上突起４０，４０を先端部が前記横引起し装置２６の横ラグ２６ａよりも前方に位置するように配置する。また、該掬上突起４０，４０の前側に掬上突起４０，４０で掬い上げられた茎葉を引抜搬送装置２４の挟持始端部に案内する左右の案内バー４１，４１を、平面視で「ハ」の字型となるように機体後側に向かうほど案内バー４１，４１同士の左右間隔が小さくなるように取り付ける。
【００３１】
なお、該案内バー４１，４１はピアノ線などの柔軟性に富み、且つある程度の硬さを有する円柱形の弾性材で構成すると、振動幅が大きくなり、茎葉の絡み付き防止効果が向上する。
【００３２】
さらに、前記掬上突起４０，４０よりも左右幅が広く且つ掬上突起４０，４０の上面を覆う後上り傾斜姿勢の左右の分草体４２，４２を夫々設ける。なお、分草体４２，４２の上部には、前記案内バー４１，４１が突出する空間部を形成する。
【００３３】
ここで、本発明に係るソイラ３７及び土落としブラシ３９の別の例について説明する。尚、本例における土落としブラシ３９は、前述の例のような上下に亘る複数の毛を用いたものでなく、弾性のある棒材１２０を用い、該棒材１２０に複数のローラ１２１を設けたものである。以下、本例の説明は、前述の例と異なる構成を主に説明し、前述の例と同様な構成については省略する。
【００３４】
左右のソイラフレーム３２は、前後水平に延びており、その断面は上下方向に沿う上下板部３２ａと上下板部３２ａの上端から左右方向の外側に延びる左右板部３２ｂを備えたＬ字形となっている。ソイラフレーム３２の前端部に設けた回動支点軸１２２回りに振動アーム３３が揺動するのであるが、ソイラ３７は、取付部３７ｂにより、振動アーム３３における振動ロッド３５の連結支点と回動支点軸１２２の間の前側部分に、複数（２本）の取付ボルト１２３を介して取り付けられている。取付部３７ｂは、前記複数（２本）の取付ボルト１２３を挿通する複数（２個）の取付用孔１２４を、更に異なる位置に複数組（３組）設けており、取付ボルト１２３を挿通する取付用孔１２４を選択することによりソイラ３７を複数段階（３段階）に高さ調節できる構成としている。また、取付部３７ｂは前後に配置される２本の取付ボルト１２３により振動アーム３３に取り付ける構成であるので、ソイラ３７を、上下反対に向けて取付部３７ｂにより振動アーム３３に取り付けることができる。
【００３５】
振動アーム３３の回動支点軸１２２は、ソイラフレーム３２のＬ字形内の空間に配置された軸受１２５を支持し、該軸受１２５を介して振動アーム３３が取り付けられる。回動支点軸１２２は、軸受１２５と同様にソイラフレーム３２のＬ字形内に配置されるナット１２６により、ソイラフレーム３２の上下板部３２ａに締付固定されている。ナット１２６とは左右反対側となる回動支点軸１２２の頭部１２２ａは、極めて薄く構成され、ソイラフレーム３２の左右方向内側の突出を抑えて引抜搬送装置２４により搬送される根菜類に傷が付かないようにしている。
【００３６】
刃部３７ａの前端縁は、鋸刃状に凹凸が施されており、機体側面視で上下中央部を頂点として上下各々に直線状に延びる山形に構成されている。前記頂点よりも上側部分と下側部分が、刃部３７ａの上下方向の一端部１２７と他端部１２８になる。刃部３７ａは、機体側面視で前記頂点を通る前後方向の中心線１２９に対して上下対称になっている。従って、一端部１２７と他端部１２８の前端縁は、上下方向の中央部である前記頂点で屈曲するように接続され、同一直線上にない。尚、複数組（３組）の取付用孔１２４のうち、高さ調節における中段位置となる複数（２個）の取付用孔１２４は、前記中心線１２９上に位置する。残りの組の複数（２個）の取付用孔１２４は、各々の組で前記中心線１２９と平行な直線上に位置する。また、刃部３７ａの装着状態の切替で一端部１２７と他端部１２８の何れがソイラ３７の上部であっても、更に振動アーム３３の揺動によるソイラ３７の上下揺動範囲の全域に亘って、ソイラ３７の上部の前端縁は後上がりになり、該前端縁が上側へいくほど後側に位置する。そして、ソイラ３７の上部は、上下揺動しながら隣接する栽培条の根菜類の茎葉部との絡みを解いて根菜類の茎葉部を分草する分草部として作用する。
【００３７】
尚、ソイラ３７の前端縁は鋸刃状に凹凸が施されているので、分草効果を高めることができる。そして、茎葉部の絡みが激しく茎葉部の分草が困難な状況では、鋸刃状の前端縁により茎葉部を切断する構成となっており、隣接する栽培条の根菜類を巻き込むようなことを防止できる。尚、鋸刃状の前端縁には逃がしがあり、茎葉部の切り屑が前端縁に残らないようにしている。また、鋸刃状の前端縁により、土壌を切り裂く作用を十分に得ることができ、土壌の解し効果を高めている。
【００３８】
また、刃部３７ａの上下方向の一端部１２７の前端縁は、同じ左右位置で上下方向に直線状に延びる直線形状であるが、刃部３７ａの上下方向の他端部１２８の前端縁は、前記頂点から同じ左右位置で上下方向に直線状に延びる直線部分１２８ａに続いて左右方向に曲がる曲がり部分１２８ｂを備えた曲がり形状になっている。そして、他端部１２８が下側となるようソイラ３７を装着した状態では、曲がり部分１２８ｂは下側へいくほど圃場の根菜類の栽培条側に位置し、圃場の根菜類の下方に曲がり部分１２８ｂの先端部が位置する。従って、他端部１２８が上部となるようソイラ３７を装着すると、曲がり部分１２８ｂは上側へいくほど根菜類から離れる側（左右方向外側）に曲がることになる。
【００３９】
左右各々の土落としブラシ３９は、弾性のある棒材１２０を、各々の振動アーム３３の振動ロッド３５との連結支点近くに２本の棒材用取付ボルト１３０により取り付けた構成となっている。尚、２本の棒材用取付ボルト１３０は、前下側と後上側に配置される。棒材１２０の端部にはＵ字状に屈曲させた環状部分１２０ａを形成し、該環状部分１２０ａに棒材用取付ボルト１３０を挿通する構成となっている。棒材１２０は、環状部分１２０ａから上側へ延びる上側延設部１２０ｂと、上側延設部１２０ｂの上端で屈曲して斜め後下側に直線状に延びる土落とし作用部１２０ｃと、土落とし作用部１２０ｃの後端に続いて斜め後下側に直線状に延びる退避部１２０ｄを備えて構成される。尚、土落とし作用部１２０ｃは機体平面視で後側へいくほど収穫する根菜類の栽培条側（内側）に位置し、従って、左右の土落とし作用部１２０ｃの間隔は、後側へいくほど狭くなっている。また、退避部１２０ｄは機体平面視で後側へいくほど収穫する根菜類の栽培条の反対側（外側）に位置し、従って、左右の退避部１２０ｄの間隔は、後側へいくほど広くなっている。
【００４０】
土落とし作用部１２０ｃ及び退避部１２０ｄには、複数（多数）のローラ１２１を遊転するように設けている。このローラ１２１は、硬質樹脂で形成され、耐摩耗性に優れている。ローラ１２１により根菜類との接触抵抗を低減する構成であるが、退避部１２０ｄの後端すなわち最も後に位置する最後尾ローラ１２１ａを、固定ボルト１３１により棒材１２０に固定している。従って、最後尾ローラ１２１ａよりも前のローラ１２１は、最後尾ローラ１２１ａにより棒材１２０から抜けないように規制される。尚、土落とし作用部１２０ｃの前端すなわち最も前に位置するローラ１２１も、棒材１２０に固定してもよい。また、多数のローラ１２１が個別に回転するので、圃場の根菜類の株間が狭く複数の根菜類が同時に土落とし作用部１２０ｃに供給されるときでも、根菜類に接触する各々のローラ１２１が自由に回転して接触抵抗を低減できる。更に、各々のローラ１２１の端部には面取りが施されており、ローラ１２１に接触する根菜類に傷が付かないようにしている。また、複数のローラ１２１を交換するときは、固定ボルト１３１を弛めて最後尾ローラ１２１ａを外すことにより最後尾ローラ１２１ａよりも前のローラ１２１を棒材１２０から取り外して行う。
【００４１】
棒材１２０は、弾性のある金属製であるが、振動アーム３３の振動が伝わっても共振しない形状で且つ十分な強度を備えている。また、棒材１２０は、振動アーム３３から硬質の圧縮スプリングである各々の取付スプリング１３２を介して棒材用取付ボルト１３０で取り付けられており、棒材用取付ボルト１３０の締め込み量を変化させることで左右位置を変更できる構成となっている。つまり、２本の棒材用取付ボルト１３０の締め込み量が少なければ棒材１２０が栽培条側（内側）に位置し、２本の棒材用取付ボルト１３０の締め込み量が多ければ棒材１２０が栽培条の反対側（外側）に位置する構成となっている。また、前下側の棒材用取付ボルト１３０の締め込み量を多くし後上側の棒材用取付ボルト１３０の締め込み量を少なくすれば棒材１２０が栽培条側（内側）に位置し、前下側の棒材用取付ボルト１３０の締め込み量を少なく後上側の棒材用取付ボルト１３０の締め込み量を多くすれば棒材１２０が栽培条の反対側（外側）に位置する。これにより、左右の土落としブラシ３９の間隔を変更できる。
【００４２】
尚、上述の例では、上述の構成のソイラ３７を左右各々設ける構成としたが、収穫する根菜類の栽培条に対して既に根菜類がない既収穫側には、上述の構成のソイラ３７を設けないか、又は上述の構成のソイラ３７よりも上下幅の小さい、例えば前述の例や後述の別の例３のような上下幅の小さい別のソイラ３７を設けてもよい。
【００４３】
上述の例から更に異なる別の例２について説明する。上述の例と異なる構成を主に説明し、上述の例と同様な構成については省略する。
このソイラ３７は、取付部３７ｂとは別に、刃部３７ａとなる前端部のみを着脱する着脱部１３３を設けたものである。これにより、着脱部分が小さくなるので、刃部３７ａの上下反転のための着脱が容易に行える。着脱部１３３は、上下２本の着脱ボルト１３４により刃部３７ａを取付部３７ｂに装着する構成であり、着脱ボルト１３４を挿通する刃部３７ａ側の上下の着脱用孔１３５を上下入れ替えて刃部３７ａを上下反対向きで装着する。尚、２本の着脱ボルト１３４のうちの１本をピンに代え、ピンにより上下一方の着脱用孔１３５の位置決めを行い、１本の着脱ボルト１３４で刃部３７ａを装着することもできる。また、着脱ボルト１３４が収穫する根菜類の栽培条側に突出しない構成とすれば、着脱ボルト１３４により根菜類に傷が付くようなことを防止できる。尚、刃部３７ａの前端縁は、機体側面視で上下に亘って直線状に形成したが、上述のように山形に構成してもよいものである。
【００４４】
土落としブラシ３９は、ローラ１２１を備えず、棒材１２０の土落とし作用部１２０ｃの前後２箇所に土落とし板１３６を固着した構成としている。土落とし板１３６が、根菜類の表面に付着する土を掻き取って除去する構成となっている。
【００４５】
上述の別の例２から更に異なる別の例３について説明する。上述の別の例２と異なる構成を主に説明し、上述の別の例２と同様な構成については省略する。
このソイラ３７の着脱部１３３は、着脱ボルト１３４を一切使用せず、取付部３７ｂ側に形成されて前側に突出する着脱部材１３７に刃部３７ａをワンタッチで嵌め込んで装着する構成となっている。刃部３７ａの後部３７ａａは、機体平面視でコの字形に形成され、後側に開放する嵌め込み用空間を備えている。この嵌め込み用空間に着脱部材１３７が挿入されてはめ込まれる構成である。刃部３７ａは、取付部３７ｂから下側に位置し、取付部３７ｂの上側に殆ど突出せず、上下幅が小さく構成されている。刃部３７ａを装着した状態で、着脱部材１３７は刃部３７ａの上下幅の略中央に位置する。従って、振動アーム３３により刃部３７ａが下動したとき、着脱部材１３７の一部が土壌内に突入する。また、着脱部材１３７は刃部３７ａの曲がり部分１２８ｂよりも上側に位置する。これにより、刃部３７ａの上下に真直な部分を利用して刃部３７ａを着脱部材１３７にしっかりと装着することができる。尚、刃部３７ａの前端縁は、機体側面視で上下に亘って直線状に形成したが、前述のように山形に構成してもよいものである。
【００４６】
また、前記引抜搬送通路Ｒの下方で且つ土落としブラシ３９，３９の後端部よりも後方の機体フレーム１上に、引抜搬送装置２４で搬送中の人参のひげ根尾部を切断する尾部切断装置４３を取り付けることにより、収穫部Ｃが構成される。
【００４７】
次に、茎葉切断部Ｄについて説明する。
前記伝動ケース２２に駆動力を伝動する左右伝動軸９４，９４を取り付け、該左右伝動軸９４，９４の上部に左右伝動ケース９５，９５を取り付けると共に、該左右伝動ケース９５，９５内に複数のギアを噛み合わせて構成する左右第１ギアユニット９６，９６を機体前側に向かって取り付ける。また、前記伝動ケース２２内部の左右伝動軸９４，９４に左右第２ギアユニット９７，９７を機体後側に向かって取り付け、該左右第２ギアユニット９７，９７の後端部に左右第１出力軸９８，９８を機体上方に向けて軸着する。
【００４８】
そして、前記左右第１ギアユニット９６，９６の前端部に左右第２出力軸９９，９９を機体下方に向けて軸着し、該左右第２出力軸９９，９９に左右肩揃え駆動プーリ１００，１００を軸着する。さらに、前記左右伝動ケース９５，９５の前端下部に左右肩揃え従動プーリ１０１，１０１を軸着した左右回転軸１０２，１０２を設け、該左右肩揃え従動プーリ１０１，１０１と前記左右肩揃え駆動プーリ１００，１００との前後間に複数の左右肩揃えテンションプーリ１０３，１０３…を回転自在に取り付ける。そして、該左右肩揃え従動プーリ１０１，１０１と前記左右肩揃え駆動プーリ１００，１００と左右肩揃えテンションプーリ１０３，１０３…との間に左右肩揃え搬送ベルト１０４，１０４を無端状に巻回することによって、前記引抜搬送装置２４から引き継がれる人参の茎葉部の切断位置を略一定に揃える機体内外側一対の肩揃え装置４４ｉ，４４ｏが、引抜搬送装置２４の搬送終端部側の下方に構成される。
【００４９】
また、前記左右第１出力軸９８，９８に左右茎葉搬送駆動プーリ１０６，１０６を軸着し、前記左右第１ギアユニット９６，９６よりも機体前側で且つ肩揃え装置４４ｉ，４４ｏの上方に左右茎葉搬送従動プーリ１０７，１０７を回転自在に取り付ける。そして、該左右茎葉搬送駆動プーリ１０６，１０６と左右茎葉搬送従動プーリ１０７，１０７とに左右茎葉搬送ベルト１０８，１０８を無端状に巻回することによって、前記引抜搬送装置２４から人参の茎葉部を引き継いで機体後方に排出する排葉搬送装置１０９が、前記左右伝動ケース９５，９５の上部外周で且つ引抜搬送装置２４の搬送終端部側の下方に構成される。（ここで、「排葉」とは切断された茎葉部を意味する）
さらに、前記左右第１出力軸９８，９８の上端部に左右残葉搬送駆動プーリ１１０，１１０を軸着し、前記左右伝動ケース９５，９５の上方に左右残葉搬送従動プーリ１１１，１１１を回転自在に取り付けるとともに、該左右残葉搬送駆動プーリ１１０，１１０と左右残葉搬送従動プーリ１１１，１１１との前後間に複数の左右残葉搬送テンションプーリ１１２，１１２…を取り付ける。そして、前記左右残葉搬送駆動プーリ１１０，１１０と左右残葉搬送従動プーリ１１１，１１１と左右残葉搬送テンションプーリ１１２，１１２…とに左右残葉搬送ベルト１１３，１１３を無端状に巻回することによって、茎葉の上部を挟持して機体後方に搬送する残葉搬送装置１１４が、前記排葉搬送装置１０９の上方に構成される。
【００５０】
上記排葉搬送装置１０９と残葉搬送装置１１４とから、機体内外側一対の茎葉部挟持搬送装置４５ｉ，４５ｏが構成される。
そして、前記機体外側の肩揃え装置４４ｏの後方で且つ機体外側の茎葉搬送装置４５ｏを構成する機体外側の第１ギアユニット９６から下方へ突出する駆動軸２８に搬送中の人参の茎葉部を切断する円盤形状の第１回転刃４６ｏを取り付け、機体内側の肩揃え装置４４ｉの後方で且つ機体内側の茎葉搬送装置４５ｉを構成する機体内側の第１ギアユニット９６から下方へ突出する駆動軸２８に搬送中の人参の茎葉部を切断する円盤形状の第２回転刃４６ｉを回転駆動するように取り付け、該第２回転刃４６ｉを第１回転刃４６ｏよりも下方に配置して茎葉切断装置４７を構成する。なお、第１切断刃４６ｏと第２切断刃４６ｉとは、外周縁部がオーバーラップする配置とし、前側で根菜類を挟み込むように回転させ、第１回転刃４６ｏと第２回転刃４６ｉは外周刃先が滑らかな円弧状の円刃と外周刃先が凹凸の鋸丸刃を組み合わせた構成とする。
【００５１】
また、前記第２切断刃４６ｉの下方で且つ第１切断刃４６ｏの駆動軸２８の下方に第１切断刃４６ｏ及び第２切断刃４６ｉの板厚よりも厚いスペーサー４８を装着し、該スペーサー４８の下方に、切断前の人参の可食部に側方から接触して弾性変形し、茎葉部切断後の人参を弾性復元力によって茎葉部挟持搬送装置４５ｉ，４５ｏの搬送方向に対して直交する方向である機体内側方向に押し出し、後述する残葉処理コンベア５７に人参の肩部が残葉処理ローラ５６を配置した側の機体内側に向けられた状態で落下させる押出ディスク４９を装着する。該押出ディスク４９は、ゴム等の変形し易く弾性力の強い弾性体で構成し、前記第１切断刃４６ｏと共に回転する構成とする。なお、スペーサー４８は、最大径の人参が接触しない程度の外径とする。
【００５２】
なお、スペーサー４８を円盤刃にすることも考えられる。
また、押出ディスク４９は第１切断刃４６ｏと略同径、もしくは第１切断刃４６ｏよりもやや大径とすると、押出ディスク４９が人参の肩部に接触しやすくなり、人参の肩部が機体内側方向を向いた姿勢にすることができ、残葉処理コンベア５７で確実に根部に残った茎葉部が処理され、後工程でこの茎葉部を取り除く作業が必要なく、作業能率が向上する。
【００５３】
また、押出ディスク４９は、図２３の如く、第１回転刃４６ｏの外周円の内側で偏芯して取り付け、人参の植付間隔と同期して回転しないようにすることで、人参の飛ばし位置が分散するようにする。
【００５４】
また、押出ディスク４９の外周は、図２４の如く、部分的に凹凸を大きくして大小の人参を飛ばし易くする。
さらに、押出ディスク４９は、外周縁が下向きになった皿状にしたり、外周縁にスリットを設けて柔らかくしたりしても良い。
【００５５】
なお、押出ディスク４９は、適宜に取り外しできるようにする。
そして、スペーサー４８の厚みは、第１切断刃４６ｏ、第２切断刃４６ｉの平均的な厚みが１ｍｍ前後であるので、２ｍｍ前後とすると第１切断刃４６ｏ及び第２切断刃４６ｉが押出ディスク４９を巻き込みにくくなる。
【００５６】
第１回転刃４６ｏと第２回転刃４６ｉの駆動軸２８への取付は、図１８に示す如く、第１回転刃４６ｏ(第２回転刃４６ｉ)を駆動回転する駆動軸２８と、第１回転刃４６ｏと第２回転刃４６ｉを取付け固定する取付部材８１と、取付部材８１の高さ位置を調節する調節ノブ８２を設け、該取付部材８１は、駆動軸２８に対して一体回転且つ軸芯方向スライド自在に取り付け、調節ノブ８２は、駆動軸２８に対してネジ部８２ｃ，２８ｂを介して係合し、取付部材８１に対して回転自在で且つ取付部材８１と一体的に軸芯方向スライド可能に取り付けた構成としている。調節ノブ８２の外周は六角形状として回し易くする。六角形状の角部はわすかにカットしても良い。
【００５７】
駆動軸２８の下端には、座金９１を介してニップル９２を取り付け、駆動軸２８の中心に設ける注油孔を通して角柱部２８ａへグリスを供給する。座金９１は、調節ノブ８２の抜け止めになる。
【００５８】
従って、調節ノブ８２を回転操作するだけの容易な操作で、取付部材８１が上下移動して、第１回転刃４６ｏと第２回転刃４６ｉの切断高さすなわち根菜類の茎葉部挟持搬送装置４５ｉ，４５ｏからの間隔が調節可能となり、茎葉部の身を切断したり肩部近くの可食部を切断したり、変更出来る。
【００５９】
また、駆動軸２８に対する調節ノブ８２の回転を規制する回転規制手段（スプリング８２ａとボール８２ｂ）を設けているので、駆動軸２８の駆動回転中に調節ノブ８２が駆動軸２８に対して回転して第１回転刃４６ｏと第２回転刃４６ｉの切断高さが変化するのが防止され、切断処理を適確に行える。回転規制手段（スプリング８２ａとボール８２ｂ）を設ける位置は六角形状の最大径となる頂点に向けて設ける。
【００６０】
なお、上記回転規制手段は、調節ノブ８２を駆動軸２８に対して回転方向に一体的に固定するよう構成でき、また、調節ノブ８２が駆動軸２８に対して一定角度以上回転しようとするとその回転に対する抵抗が大きくなるように構成することもできる。
【００６１】
図示例は、後者の構成をとることで、第１回転刃４６ｏと第２回転刃４６ｉの切断高さを調節するとき、上記回転規制手段の解除操作が必要なく、その回転規制手段による抵抗に抗して調節ノブ８２を駆動軸２８に対して回転操作するだけで調節が可能となり、調節操作が非常に容易に行える。更に、取付部材８１に対する第１回転刃４６ｏ(第２回転刃４６ｉ)の固定を解除する（図例ではネジ止めを外す）と、第１回転刃４６ｏと第２回転刃４６ｉの回転中心側に形成した孔を調節ノブ８２を通過できるように、その孔の大きさと調節ノブ８２の大きさを設定している。これにより、調節ノブ８２を外すことなく、第１回転刃４６ｏ(第２回転刃４６ｉ)を取り外すことができ、回転刃の交換が容易に行える。
【００６２】
図１９に第１回転刃４６ｏと第２回転刃４６ｉの上下移動固定手段の別例を示す。駆動軸２８の下部に形成した回り止め用の角柱部２８ａにその軸線方向のみに移動可能に取付部材８１を挿通し、この取付部材８１に第１回転刃４６ｏ(第２回転刃４６ｉ)を固定するとともに、取付部材８１を上下に位置決めする調節ノブ８２を駆動軸２８の下端のねじ部２８ｂに調節ノブ８２の下部に形成したネジ孔８２ｃを螺合させて取付ける。調節ノブ８２には、角柱部２８ａの外周を転動可能なスプリング８２ａにより弾圧されるボール８２ｂによる回転規制手段を内設する。第１回転刃４６ｏ(第２回転刃４６ｉ)を保持する支持部２７ｃと取付部材８１との間には係合球体８３を介在して支持部２７ｃと取付部材８１とが一体的に回転するようにしつつ第１回転刃４６ｏ(第２回転刃４６ｉ)側を止め輪８３ａによって回転軸芯方向への移動を規制し、また、取付部材８１の下部側外周に形成した溝と調節ノブ８２の上部側の回転方向複数箇所に形成した孔とに係合球体８４を介在させ、更に、その係合球体８４が飛出さないように止め輪８４ａを取り付ける。これにより、調節ノブ８２は、取付部材８１に対して回転自在で且つ取付部材８１と一体的に軸芯方向スライド可能となる。
【００６３】
図１９の縦断面図は、断面左半分側が回動調節状態で、断面右半分側が回動固定状態を示している。駆動軸２８の下部に回り止めの角柱部２８ａを介して固定スリーブ８５とその下端の大径部８６を固定する。固定スリーブ８５には、外周面を等分周して軸線方向溝による係止溝８５ａ…を形成し、その下方に形成したねじ部８５ｂに第１回転刃４６ｏ(第２回転刃４６ｉ)の支持部２７ｄと連結する筒部８７を螺合する。この筒部８７には通孔８７ｂを形成し、固定スリーブ８５の係止溝８５ａ…との間に介在可能な係合球体８７ａを通孔８７ｂから進退自在に設けるとともに、筒部８７の外周には係合球体８７ａの進退を制御するスライドスリーブ８８を設ける。
【００６４】
スライドスリーブ８８は、筒部８７の外周に形成した軸線方向溝８７ｃに介在する係合球体８８ａによって軸線方向にスライド動作可能に構成する。このスライドスリーブ８８は、筒部８７の上端の支持部２７ｄに達する上限位置から大径部８６に達する下限位置の範囲をスライドストローク範囲とし、コイルスプリング８９を設けて下限位置に付勢する。また、筒部８７の係合球体８７ａの進退を制御するテーパ８８ｂを形成し、このテーパ８８ｂはスライドストロークの下限位置で係合球体８７ａを内方の係止溝８５ａ…内に拘束して筒部８７の回動を規制し、一方、スライドストロークの上限位置で係合球体８７ａの拘束を解除して支持部２７ｄの回動を許容するように傾斜面を形成する。
【００６５】
上記の構成で、第１回転刃４６ｏと第２回転刃４６ｉは、上下させて茎葉部挟持搬送装置４５ｉ，４５ｏ（詳しくは肩揃え装置４４ｉ，４４ｏ）との間隔を狭くしたり広くすることで茎葉部を切断したり可食部を切断したりするようになる。
【００６６】
第１ギアユニット９６と第１回転刃４６ｏとの間及び第１ギアユニット９６と第２回転刃４６ｉの固定スリーブ８５との間で駆動軸２８を覆う蛇腹９０を設けて葉が巻き付かないようにしている。
【００６７】
なお、調節ノブ８２とスライドスリーブ８８は、慣性力を小さくするために中空にすると良い。
機体の外側に位置する第１回転刃４６ｏは機外から交換し易いので、図２１の如く、二枚の鋸円盤刃ＮＨ１，ＮＨ２を重ねた状態に取り付け、上下の鋸円盤刃ＮＨ１，ＮＨ２の取付位相を合わせて外周縁を凹凸の大きな鋸刃状にして可食部切断に適したり、位相をずらせて外周縁を凹凸の少ない或いは凹凸の無い円刃状にして茎葉部の切断に適したりするようにすると良い。二枚の鋸円盤刃ＮＨ１，ＮＨ２は、外周の鋸刃が同一でも異なっていても良い。
【００６８】
第１回転刃４６ｏと第２回転刃４６ｉは、図２２の如く、外周円状の周縁部に窪みＫを設けて先端の摩耗によって鋸刃状になる形状にしても良い。また、第１回転刃４６ｏと第２回転刃４６ｉは、外周刃縁を厚み方向に波打たせた形状にしても良い。外周刃縁を波打たせた円盤刃は機体外側の第１回転刃４６ｏのみでも良く、第１回転刃４６ｏと第２回転刃４６ｉを外周刃縁が波打った円盤刃とする場合には、先端交差部を接触させて研がれるようにしても良い。
【００６９】
なお、第１回転刃４６ｏと第２回転刃４６ｉを肩揃え搬送ベルト１０４の第２出力軸９９に設けることも考えられる。
前記茎葉切断装置４７の後側に、茎葉部を切断された人参の落下姿勢の変化を規制する規制プレート５０を設け、該茎葉切断装置４７の下方で且つ後述する残葉処理コンベア５７の上方に、落下してくる人参を受けるクッションプレート５１を、残葉処理コンベア５７の搬送方向に沿って少なくとも人参の落下位置よりも搬送方向下手側に亘って配置する。
【００７０】
なお、該規制プレート５０及びクッションプレート５１は、ゴムや塩化ビニル等の軟質材で構成すると、衝突の衝撃で人参が傷付くことを防止でき、人参の商品価値を向上させることができる。
【００７１】
また、前記機体内側及び外側の茎葉部挟持搬送装置４５ｉ，４５ｏの終端部から茎葉切断装置４７によって切断された茎葉を圃場に排出する排葉シュータ５２を設けて、茎葉切断部Ｄを構成する。
【００７２】
上記構成により、機体外側の第１切断刃４６ｏの回転軸８０の下方に装着された押出ディスク４９は、茎葉部切断前の作物に接触すると弾性変形し、茎葉部切断後の人参を弾性復元力によって押し出し、切り残された茎葉部が残る人参の肩部を茎葉部挟持搬送装置４５ｉ，４５ｏの搬送経路に対して直交する方向である機体内側方向に向けることができるので、残葉処理コンベア５７に設けた残葉処理ローラ５６で確実に茎葉部を除去することができ、後工程でこの茎葉部を取り除く作業が必要なく、作業能率が向上する。この押出ディスク４９は機体外側に設けられているので、正常に引抜搬送装置２４に挟持搬送されてきた人参であれば、機体外側に向かって押し出されることはない。
【００７３】
また、茎葉切断装置４７の後側に、茎葉部を切断された人参の落下姿勢の変化を規制する規制プレート５０を設けたことにより、落下中に人参の姿勢が変化することを防止でき、人参の肩部に残る茎葉部を残葉処理コンベア５７で確実に除去することができ、後工程でこの茎葉部を取り除く作業が必要なく、作業能率が向上する。
【００７４】
そして、茎葉切断装置４７の下方で且つ残葉処理コンベア５７の上方に、落下してきた人参を受けるクッションプレート５１を設けたことにより、落下の衝撃で人参が傷付くことを防止でき、人参の商品価値が向上する。
【００７５】
また、押出ディスク４９に押し出された人参は、下端部（以下、「尻尾部」という）から落下するが、収穫作業中は一定方向に動き続けている残葉処理コンベア５７上に落下すると残葉処理コンベア５７の搬送力により、肩部が搬送方向の反対側を向いてしまうことがある。しかしながら、クッションプレート５１を残葉処理コンベア５７の上方に設けたことにより、人参はクッションプレート５１に接触して残葉処理コンベア５７の搬送方向に沿う姿勢となってから残葉処理コンベア５７に載って搬送されるので、残葉処理コンベア５７で確実に茎葉部を除去することができ、後工程でこの茎葉部を取り除く作業が必要なく、作業能率が向上する。
【００７６】
さらに、茎葉切断装置４７で人参から切断された排葉切断された茎葉部を圃場に排出する排葉シュータ５２が、既掘り側人参を収穫し終えた側に茎葉を排出するように下方傾斜姿勢に設けられていることによって、排出された茎葉が未掘り側人参を収穫していない側の人参の上に落下し、排葉が左右挟持搬送ベルト１８，１８や左右従動プーリ１６，１６等に絡み付いて収穫部Ｃを停止させて収穫作業を妨げることが防止できるので、作業能率が向上すると共に、人参の上に落下した排葉が収穫する人参の視認性を妨げることを防止できる。
【００７７】
次に、引継搬送部Ｅについて説明する。
前記茎葉切断装置４７の下方に前後残葉処理フレーム５３を設け、該前後残葉処理フレーム５３の左右両側の前後間に左右残葉処理ローラ５４，５４を回転自在に取り付ける。そして、該左右残葉処理ローラ５４，５４にゴムやウレタン等の弾性体で構成する残葉処理ベルト５５を無端状に巻回し、該残葉処理ベルト５５の上部に人参の根部に残った残葉を残葉処理ベルト５５と共に挟み込んで回転して切除する残葉処理ローラ５６を取り付けて、茎葉切断部Ｄから引き継いだ人参の残葉を処理しながら機体外側方向から左右内側方向に搬送する残葉処理コンベア５７を構成する。
【００７８】
また、該残葉処理コンベア５７の始端側で且つ機体前側に茎葉切断装置４７よりも機体前側に落下した作物を受ける格子状の受け台５８を下り傾斜姿勢で設け、機体左右一側部で且つ該受け台５８よりも機体内側に汲上搬送駆動ローラ５９を設けると共に、左右他側部側に汲上搬送従動ローラ６０を設ける。そして、前記残葉処理コンベア５７よりも機体前側で且つ残葉処理コンベア５７に隣接させて、汲上搬送駆動ローラ５９と汲上搬送従動ローラ６０とに汲上搬送ベルト６１を無端状に巻回して、前記残葉処理コンベア５７と受け台５８とから人参を引き継いで機体左右他側に汲上搬送する汲上搬送コンベア６２が構成される。
【００７９】
前記残葉処理コンベア５７と上り傾斜姿勢に設ける汲上搬送コンベア６２とから、引継搬送部Ｅが構成される。
上記構成により、残葉処理コンベア５７を構成する残葉処理ローラ５６が、茎葉切断装置４７で切り残された人参の残葉を千切り取りながら汲上搬送コンベア６２に人参を搬送するため、人参の商品価値が向上すると共に、収穫作業後に人手で残葉を切除する作業を省略することができ、作業能率が向上する。
【００８０】
また、残葉処理コンベア５７を構成する残葉処理ベルト５５をゴムやウレタン等の弾性体で構成したことによって、茎葉切断装置４７で茎葉部を切除された人参が落下しても残葉処理ベルト５５が落下の衝撃を軽減するので、落下の衝撃で人参が傷付くことが防止され、人参の品質が向上する。
【００８１】
そして、残葉処理コンベア５７の始端側で且つ機体前側に格子状の受け台５８を下り傾斜姿勢に設けたことによって、茎葉切断装置４７よりも機体前側で茎葉部が千切れる等して落下した人参を、機外に落とすことなく受け止めることができると共に、受けた人参を汲上搬送コンベア６２に向かって移動させることができるので、収穫作業後に機外に落ちた人参を拾い集める作業が省略されて作業者の労力が軽減されると共に、茎葉切断装置４７よりも機体前側で落下した人参を搬送経路に戻すことができるので、作業能率が向上する。
【００８２】
次に、選別搬送部Ｆについて説明する。
操縦部Ｂの後部に左右選別搬送フレーム６３，６３を取り付け、該左右選別搬送フレーム６３，６３の機体前側の左右間に選別搬送駆動ローラ６４を回転自在に取り付け、該選別搬送駆動ローラ６４よりも機体後側に選別搬送従動ローラ６５を回転自在に取り付ける。また、前記選別搬送駆動ローラ６４と選別搬送従動ローラ６５との間に選別搬送テンションローラ６６を回転自在に取り付ける。そして、前記選別搬送駆動ローラ６４と選別搬送従動ローラ６５と選別搬送テンションローラ６６とに複数の弾性体突起を備える弾性体ベルト６７を無端状に巻回することによって、後上り傾斜姿勢の選別搬送コンベア６８が構成される。さらに、該選別搬送コンベア６８を始端部が引継搬送部Ｅの汲上コンベア６２の終端下方に位置するように配置する。
【００８３】
また、前記選別搬送従動ローラ６５の回転軸にシュータ６９を上下回動自在に取り付け、該シュータ６９の機体左右外側にシュータ６９を上下回動させる操作レバー７０を取り付けることによって、選別搬送部Ｆが構成される。
【００８４】
上記のように、シュータ６９を上下回動自在に設けたことによって、シュータ６９を下方回動させると人参を後述する収容部Ｇに設置するコンテナやフレコンバッグ等の収容容器７３に緩やかに落とすことができるので、落下の衝撃で人参が傷付くことが防止され、人参の商品価値が向上する。
【００８５】
また、シュータ６９を上方に回動させると、選別搬送コンベア６８の終端側を塞ぐストッパとなるため、人参が満杯になったコンテナを交換する際、選別搬送コンベア６８を停止させなくても人参が終端部から落下することを防止することができるので、落下の衝撃で人参が傷付くことが防止されて人参の品質が向上すると共に、選別搬送コンベア６８の動力の入切を頻繁に行う必要がなくなり、作業能率が向上する。
【００８６】
また、シュータ６９を上方回動させてストッパとし、選別搬送コンベア６８を停止させないことによって、人参は選別搬送コンベア６８の終端側に溜まるので、従来のように汲上搬送コンベア５８の搬送終端部から落下してきた人参が選別搬送コンベア６８の搬送始端部に滞留している人参に接触して傷付くことが防止されるので、人参の商品価値が向上する。
【００８７】
さらに、シュータ６９の機体左右外側にシュータ６９を上下回動させる操作レバー７０を取り付けたことによって、補助作業者は後述する補助作業座席７８に座ったままシュータ６９を上下回動させることができるので、補助作業者の労力が軽減される。
【００８８】
次に、収容部Ｇについて説明する。
図１〜図３で示すように、前記左右選別搬送フレーム６３，６３の下部に左右支持フレーム７１，７１を設け、該左右支持フレーム７１，７１に伸縮自在なダンパ７２の一端を取り付ける。そして、左右選別搬送フレーム６３，６３の後下部に人参を収容するコンテナやフレコンバッグ、袋体等の収容容器７３を設置する収容容器置台７４を上下回動自在に且つ上り傾斜姿勢に取り付けると共に、該収容容器置台７４にダンパ７２の他端を取り付ける。
【００８９】
また、該収容容器置台７４の後端部に予備の収容容器７３を設置する予備収容容器置台７５を上下回動自在で且つ上り傾斜姿勢で取り付ける。さらに、前記収容容器置台７４や選別搬送コンベア６８や右クローラ６Ｒよりも機体左右他側に機体前後方向に長い人参を収容した収容容器７３を積載する収容容器積載台７６を機体内側へ折り畳み自在に取り付ける。
【００９０】
そして、該収容容器積載台７６の機体外側に、収容容器積載台７６の上方を越えて且つ選別搬送コンベア６８に向けて屈曲させた支持フレーム７７を取り付け、該支持フレーム７７の上に補助作業者が着座する補助作業座席７８を取り付ける。そして、前記収容容器積載台７６の後部に予備の収容容器７３を設置する第２予備収容容器置台７９を取り付けて、収容部Ｇが構成される。
【００９１】
上記のように、上り傾斜姿勢に設けられた収容容器置台７４に伸縮自在なダンパ７２の他端を取り付けていることによって、収容容器７３に人参が収容されて重くなるにつれて収容容器置台７４が下降するため、人参が収容容器７３の一部に偏って投入されることが防止されるので、収容容器７３交換の頻度が減少し、作業者の労力が軽減される。
【００９２】
また、収容容器置台７４の後部に予備の収容容器７３を設置する予備収容容器置台７５を設けたことによって、人参が満載された収容容器７３が収容容器置台７４から取り除かれるとダンパ７２が伸びて収容容器置台７４が上り傾斜姿勢に戻り、予備収容容器置台７５に設置されている収容容器７４が収容容器置台７４に滑り落ちて設置されるので、収容容器７３を手作業で設置する必要がなくなり、作業者の労力が軽減されると共に作業能率が向上する。
【００９３】
そして、機体左右外側に収容容器積載台７６を機体内側へ折り畳み自在に取り付けていることによって、圃場へ向かう際や圃場から帰る際には収容容器積載台７６を機体内側に折り畳んで機体の左右幅をコンパクトにすることができるので、小型のトラックにも積み込みやすく、輸送性が向上する。
【００９４】
さらに、収容容器積載台７６の上方を越えて且つ選別搬送コンベア６８に向けて屈曲させた支持フレーム７７上に補助作業座席７８を設けたことによって、補助作業者は選別搬送コンベア６８に近い位置で選別作業ができるので選別精度が向上すると共に、収容容器７３が収容容器積載台７６上を移動するのを妨げないため、作業能率が向上する。
【００９５】
また、収容容器積載台７６の後部に第２予備収容容器置台７９を取り付けたことによって、機体に多くの収容容器７３を搭載しておくことができるので、長時間連続して収穫作業を続けることができ、作業能率が向上する。
【００９６】
以上により、この根菜類収穫機は、走行部Ａと、圃場の根菜類の近くの土壌を切りながら解すソイラ３７と、該ソイラ３７により近くの土壌が解された根菜類を引き抜いて搬送する引抜搬送装置２４を設け、ソイラ３７は、一部が土壌内に突入する刃部３７ａと、該刃部３７ａを取り付ける取付部３７ｂを備え、刃部３７ａを上下に延設すると共に、刃部３７ａの上下方向の一端部１２７と他端部１２８で異なる形状とし、刃部３７ａを上下反対に向けて着脱可能に構成している。
【００９７】
よって、刃部３７ａの上下方向の一端部１２７と他端部１２８で異なる形状であるため、刃部３７ａを上下反対に向けて着脱することにより、土壌の硬軟の差異や根菜類の引き抜き抵抗の差異等の作業条件の差異に応じて、土壌内に突入する刃部３７ａの下端部の形状を変更して土壌の解し作用の強弱を変更でき、圃場の根菜類の近くの土壌を適正に解し、根菜類を良好に引き抜いて搬送することができ、収穫作業の適正化が図れる。しかも、刃部３７ａの上下方向の一端部１２７と他端部１２８のうち、土壌内に突入しない刃部３７ａの上部側が根菜類の茎葉部を案内する作用を施し、隣接する栽培条の根菜類の茎葉部との絡みを解きながら収穫する栽培条の根菜類を収穫でき、収穫作業の適正化が図れる。更に、刃部３７ａの上部により、ソイラ３７が掘り起こした土壌が隣接する栽培条の根菜類へ降りかかるのを防止できる。
【００９８】
また、刃部３７ａの上下方向の一端部１２７の前端縁を上下方向に直線状に延びる直線形状とし、刃部３７ａの上下方向の他端部１２８の前端縁を、該他端部１２８が下部となるよう刃部３７ａを装着した状態で下側へいくほど圃場の根菜類に近づく側に曲がる曲がり形状としている。
【００９９】
よって、例えば、砂地等で崩れやすい土壌であったり、軟らかい土壌であったり、根菜類が引き抜き抵抗の小さい形状や寸法であったりして、土壌の解し作用が弱くても良いときは、前端縁が直線形状である刃部３７ａの上下方向の一端部１２７を下側に向けて刃部３７ａを装着し、前端縁が直線形状である一端部１２７を土壌内に突入させて弱い土壌の解し作用を得ることができ、必要以上に土壌を掘り起こすことにより圃場の根菜類が不適正な姿勢になったり根菜類に傷を付けたりするようなことを抑えられる。このとき、土壌内に突入しない刃部３７ａの上部側は、上側へいくほど根菜類から離れる側に曲がっているので、隣接する栽培条の根菜類の茎葉部を収穫する栽培条側から離れる側に案内でき、隣接する栽培条の根菜類の茎葉部との絡みを良好に解くことができる。逆に、例えば、粘土質等で粘りのある土壌であったり、硬い土壌であったり、根菜類が引き抜き抵抗の大きい形状や寸法であったりして、強い土壌の解し作用が必要なときは、前端縁が曲がり形状である刃部３７ａの上下方向の他端部１２８を下側に向けて刃部３７ａを装着し、曲がり形状である他端部１２８を土壌内に突入させて圃場の根菜類の下方部分の土壌を掘り起こしながら強い土壌の解し作用を得ることができ、引抜搬送装置２４による根菜類の引き抜き抵抗を小さくでき、引き抜きで根菜類（例えば根菜類の茎葉部）がちぎれるようなことを抑えられる。
【０１００】
また、上下に振動する振動アーム３３に取付部３７ｂを介して刃部３７ａを装着する構成とし、刃部３７ａの上下方向の一端部１２７と他端部１２８の前端縁を、上下方向の中央部で屈曲させて同一直線上に配置させない構成とし、一端部１２７と他端部１２８の何れが上部となるよう刃部３７ａを装着した状態でも前端縁が上側へいくほど後側位置となる構成としている。
【０１０１】
よって、刃部３７ａの上下方向の一端部１２７を下側に向けて刃部３７ａを装着した状態でも、刃部３７ａの上下方向の他端部１２８を下側に向けて刃部３７ａを装着した状態でも、刃部３７ａの上部の前端縁が上側へいくほど後側位置となるので、機体の前進に伴って根菜類の茎葉部を下方から案内でき、隣接する栽培条の根菜類の茎葉部を分草する抵抗は比較的小さくなり、隣接する栽培条の根菜類の茎葉部との絡みを良好に解くことができる。
【０１０２】
また、ソイラ３７を、収穫する根菜類の栽培条に対して未収穫の根菜類が位置する側にのみ設け、収穫する根菜類の栽培条に対して既収穫側には、ソイラ３７を設けないか又は前記ソイラ３７よりも上下幅の小さい別のソイラを設ける構成としている。
【０１０３】
よって、ソイラ３７が掘り起こした土壌が既収穫側へ供給されやすくなるため、刃部３７ａの上部によりソイラ３７が掘り起こした土壌が未収穫側の栽培条へ降りかかるのを的確に防止できる。
【０１０４】
また、左右一対のソイラ３７を設け、上下に振動する左右一対の振動アーム３３に各々の取付部３７ｂを介して各々の刃部３７ａを装着する構成とし、引抜搬送装置２４で搬送する根菜類に付着する土を落とす左右一対の土落とし部材３９を左右各々の振動アーム３３に取り付け、左右一対の土落とし部材３９の間隔を調節可能な構成としている。
【０１０５】
よって、左右一対の土落とし部材３９の間隔を、引抜搬送装置２４により搬送する根菜類の形状や寸法に応じて調節でき、引抜搬送装置２４による根菜類の搬送抵抗を抑えて根菜類を良好に搬送しながら、根菜類に付着する土を的確に落とすことができ、収穫作業の適正化が図れる。
【符号の説明】
【０１０６】
Ａ        走行部
２４      引抜搬送装置
３３      振動アーム
３７      ソイラ
３７ａ    刃部
３７ｂ    取付部
３９      土落としブラシ（土落とし部材）
１２７    刃部の上下方向の一端部
１２８    刃部の上下方向の他端部
【図１】
0005842413.tif 000002
【図２】
0005842413.tif 000003
【図３】
0005842413.tif 000004
【図４】
0005842413.tif 000005
【図５】
0005842413.tif 000006
【図６】
0005842413.tif 000007
【図７】
0005842413.tif 000008
【図８】
0005842413.tif 000009
【図９】
0005842413.tif 000010
【図１０】
0005842413.tif 000011
【図１１】
0005842413.tif 000012
【図１２】
0005842413.tif 000013
【図１３】
0005842413.tif 000014
【図１４】
0005842413.tif 000015
【図１５】
0005842413.tif 000016
【図１６】
0005842413.tif 000017
【図１７】
0005842413.tif 000018
【図１８】
0005842413.tif 000019
【図１９】
0005842413.tif 000020
【図２０】
0005842413.tif 000021
【図２１】
0005842413.tif 000022
【図２２】
0005842413.tif 000023
【図２３】
0005842413.tif 000024
【図２４】
0005842413.tif 000025